(57)【要約】【課題】留置針の先端部を確実、且つ、容易に血管内の適正位置に留置させ、血管確保の成功率を向上させることができる静脈留置針組立体を得る。【解決手段】外筒体２先端に留置針３を備え、外筒体２後端外周部にフランジ４が形成された留置針ユニット５と、筒状体２２先端の内筒部２２ａに穿刺針７を備えた穿刺針ユニット２３とを具備する静脈留置針組立体２１であって、筒状体２２外周部に、中央部が凸状に折曲された板バネ２４の後端部を固着し、且つ、穿刺針ユニット２３が留置針ユニット５に組み込まれた時、板バネ２４の前端がフランジ４後端に当接又は近接するように配設する。穿刺針７の先端部が血管４１内に挿入された時、穿刺針ユニット２３を保持したまま板バネ２４の凸状部２４ａを筒状体２２に押し付けて板バネ２４を伸張させると、板バネ２４がフランジ４を押して留置針ユニット５を前進させ、留置針３の先端部が血管４１内を所定長さ推進する。【選択図】図２
2009183441.tif 000002
【特許請求の範囲】
【請求項１】
外筒体先端に留置針を備え、外筒体後端外周部にフランジが形成された留置針ユニットと、前記外筒体に嵌挿自在の内筒部が筒状体先端部に形成され、前記内筒部先端に穿刺針を備え、前記筒状体後端に蓋体が嵌挿された穿刺針ユニットとを具備し、前記穿刺針ユニットが前記留置針ユニットに組み込まれる時、前記穿刺針は先端部が前記留置針内を貫通して前記留置針先端から所定長さ突設し、前記内筒部は前記外筒体に嵌挿されるように形成された静脈留置針組立体であって、
前記筒状体外周部に、中央部が凸状に折曲された板バネの後端部を固着し、且つ、前記穿刺針ユニットが前記留置針ユニットに組み込まれた時、前記板バネの前端が前記フランジ後端に当接又は近接するように配設し、
前記穿刺針ユニットが前記留置針ユニットに組み込まれ、前記穿刺針の先端部が血管内に挿入された時、前記穿刺針ユニットを保持したまま前記板バネの凸状部を前記筒状体に押し付けて前記板バネを伸張させると、前記板バネが前記フランジを押して前記留置針ユニットを前進させ、前記留置針の先端部が前記穿刺針の案内により血管内を所定長さ推進するように構成されたことを特徴とする静脈留置針組立体。
【発明の詳細な説明】
【技術分野】
【０００１】
本発明は、留置針の先端部を確実、且つ、容易に血管内の適正位置に留置させ、血管確保の成功率を向上させることができる静脈留置針組立体に関する。
【背景技術】
【０００２】
この種従来の静脈留置針組立体の一例として、例えば、図３に示すような静脈留置針組立体１があり、静脈留置針組立体１は、外筒体２先端に留置針３を備え、外筒体２後端外周部にフランジ４が形成された留置針ユニット５と、外筒体２に嵌挿自在の内筒部６ａが筒状体６先端部に形成され、内筒部６ａ先端に穿刺針７を備え、筒状体６後端に蓋体８が嵌挿された穿刺針ユニット９とを具備し、穿刺針ユニット９が留置針ユニット５に組み込まれる時、穿刺針７の先端部は留置針３内を貫通して留置針３先端から所定長さ突設し、内筒部６ａは外筒体２内に嵌挿されるように形成されている。
【０００３】
そして、前記静脈留置針組立体１を用いて、留置針３の先端部を血管内に留置させる場合、穿刺針ユニット９が留置針ユニット５に組み込まれた状態で、穿刺針７先端部が血管内に挿入され、同時に留置針３の先端部も血管内に挿入されるが、留置針３の先端部は、穿刺針７の先端部よりも挿入が浅くなるため、穿刺針７を引き抜く前に、留置針３の先端部を穿刺針７の先端位置近傍まで推進させる必要がある。
この推進させる操作は、従来、操作者の手技により行なわれているが、その操作が極めて難しく、推進が少ないと、留置針３の先端部の挿入が浅くなり、留置針３の先端部が血管から抜けてしまう虞があり、推進し過ぎると、留置針３の先端部で血管を傷つけたり、留置針３の先端部が血管を突き抜ける虞がある。
【０００４】
尚、静脈留置針の先行文献としては、例えば、特許文献１があり、特許文献１は、内針の血液逆流流入口を内針内腔以外に外針先端により近い部位、或いは、外針先端の後方に更に一つ設けて２つにして血液逆流を迅速に視認できるようにし、外針先端を静脈腔内の適切な位置に容易に残置させることができるようにするものである。
【特許文献１】特開平６−８６８１４号公報
【発明の開示】
【発明が解決しようとする課題】
【０００５】
前述したように、従来の静脈留置針組立体の操作に於いて、血管内に挿入された留置針の先端部を適正位置まで推進させる操作は、操作が難しく、熟練を要するものであった。
尚、特許文献１は、血管内に挿入された留置針の先端部を適正位置まで推進させる操作に関するものではない。
【０００６】
以上の現状に鑑み、本発明は、穿刺針の先端部が血管内に挿入された時、留置針の先端部を確実、且つ、容易に血管内の適正位置に留置させ、血管確保の成功率を向上させることができる静脈留置針組立体を提供することを目的とする。
【課題を解決するための手段】
【０００７】
上記の課題を解決すべく、本発明は以下の構成を提供する。
請求項１に係る発明は、外筒体先端に留置針を備え、外筒体後端外周部にフランジが形成された留置針ユニットと、前記外筒体に嵌挿自在の内筒部が筒状体先端部に形成され、前記内筒部先端に穿刺針を備え、前記筒状体後端に蓋体が嵌挿された穿刺針ユニットとを具備し、前記穿刺針ユニットが前記留置針ユニットに組み込まれる時、前記穿刺針は先端部が前記留置針内を貫通して前記留置針先端から所定長さ突設し、前記内筒部は前記外筒体に嵌挿されるように形成された静脈留置針組立体であって、
前記筒状体外周部に、中央部が凸状に折曲された板バネの後端部を固着し、且つ、前記穿刺針ユニットが前記留置針ユニットに組み込まれた時、前記板バネの前端が前記フランジ後端に当接又は近接するように配設し、
前記穿刺針ユニットが前記留置針ユニットに組み込まれ、前記穿刺針の先端部が血管内に挿入された時、前記穿刺針ユニットを保持したまま前記板バネの凸状部を前記筒状体に押し付けて前記板バネを伸張させると、前記板バネが前記フランジを押して前記留置針ユニットを前進させ、前記留置針の先端部が前記穿刺針の案内により血管内を所定長さ推進するように構成されたことを特徴とする静脈留置針組立体を提供するものである。
【発明の効果】
【０００８】
本発明の請求項１記載の発明によれば、留置針の先端部を確実、且つ、容易に血管内の適正位置に留置させ、血管確保の成功率を向上させることができる静脈留置針組立体を提供することができる。
【発明を実施するための最良の形態】
【０００９】
以下、実施例を示した図面を参照しつつ本発明の実施の形態を説明する。尚、説明の都合上、従来例と同一構成部分については同一符号を付してその説明を省略する。
図１（ａ）に於いて、２１は、本発明の静脈留置針組立体を示し、静脈留置針組立体２１は、従来例の静脈留置針組立体（図３に於いて１）と同様に、図１（ａ）及び（ｂ）に示すように、外筒体２先端に留置針３を備え、外筒体２後端外周部にフランジ４が形成された留置針ユニット５と、外筒体２に嵌挿自在の内筒部２２ａが筒状体２２先端部に形成され、内筒部２２ａ先端に穿刺針７を備え、筒状体２２後端に蓋体８が嵌挿された穿刺針ユニット２３とを具備する。
尚、前記留置針３と外筒体２は中心部が連通し、前記穿刺針７と内筒部２２ａと筒状体２２も中心部が連通するように構成される。
そして、穿刺針ユニット２３が留置針ユニット５に組み込まれる時、穿刺針７は先端部が留置針３内を貫通して留置針３先端から所定長さ突設し、内筒部２２ａは外筒体２に嵌挿されるように形成されている。
尚、前記留置針ユニット５と、穿刺針ユニット２３の内筒部２２ａ、筒状体２２及び蓋体８は、プラスチックで形成され、穿刺針７は、金属で形成されている。
【００１０】
更に、本発明の静脈留置針組立体２１は、従来例の静脈留置針組立体（図３に於いて１）に加え、筒状体２２外周部に、中央部が凸状に折曲された細長い板バネ２４が後端部を固着されて設けられ、板バネ２４は、穿刺針ユニット２３が留置針ユニット５に組み込まれた時、板バネ２４の前端がフランジ４後端に当接又は近接するように配設される。
前記板バネ２４は、弾性を有する合成樹脂、ゴム、金属板等で作成される。
【００１１】
そして、穿刺針ユニット２３が留置針ユニット５に組み込まれ、穿刺針７の先端部が血管内に挿入された時、留置針３の先端部も血管内に挿入され、図１（ｃ）に示すように、穿刺針ユニット２３を保持したまま板バネ２４の凸状部２４ａを筒状体２２に矢印Ａの如く押し付けて板バネ２４を伸張させると、板バネ２４がフランジ４を押して矢印Ｂの如く留置針ユニット５を前進させ、留置針３の先端部が穿刺針７の案内により血管内を所定長さ推進するように構成されている。
【００１２】
而して、本発明の静脈留置針組立体２１の使用方法を説明すると、先ず、穿刺針ユニット２３の穿刺針７先端部を留置針３内を貫通させて留置針３先端から所定長さ突設させ、内筒部２２ａを外筒体２内に嵌挿すれば、穿刺針ユニット２３が留置針ユニット５に組み込まれる。
そして、穿刺針ユニット２３が留置針ユニット５に組み込まれた状態で、図２（ａ）に示す如く、穿刺針７の先端部を血管４１内に挿入し、図２（ｂ）に示す如く、穿刺針ユニット２３を保持したまま板バネ２４の凸状部２４ａを矢印Ａの如く筒状体２２に押し付けて板バネ２４を伸張させると、板バネ２４がフランジ４を押して矢印Ｂの如く留置針ユニット５を前進させ、留置針３の先端部が穿刺針７の案内により血管４１内を所定長さ推進する。これにより、留置針３の先端は、穿刺針７の先端とほぼ同じ位置になり、血管４１内の適正な位置に位置決めされ、留置針３による血管確保が成功する。尚、前記所定長さとは、板バネ２４の凸状部２４ａの押し付けによって生じる板バネ２４の伸縮差によって設定される長さであるが、仮に、凸状部２４ａを押し付ける力を減じた場合は、その減力に応じてその長さが減少する。
【００１３】
次に、図２（ｃ）に示すように、留置針ユニット５を人体に固定した状態で、矢印Ｃの如く穿刺針ユニット２３を留置針ユニット５から抜き取ると、留置針３の先端部が血管４１内に留置された状態で、留置針ユニット５が人体４２に保持される。
【図面の簡単な説明】
【００１４】
【図１】（ａ）本発明による静脈留置針組立体の正面図である。（ｂ）本発明による静脈留置針組立体の組み立て前の状態を示す正面図である。（ｃ）本発明による静脈留置針組立体の留置針ユニットを推進させた状態を示す正面図である。
【図２】（ａ）本発明による静脈留置針組立体の穿刺針の先端部と留置針の先端部を血管内に挿入した状態を示す正面縦断面図である。（ｂ）本発明による静脈留置針組立体の留置針を推進させた状態を示す正面縦断面図である。（ｃ）本発明による静脈留置針組立体の留置針ユニットを留置させ、穿刺針ユニットを取外した状態を示す正面縦断面図である。
【図３】（ａ）従来例の静脈留置針組立体の正面図である。（ｂ）従来例の静脈留置針組立体の穿刺針ユニットの正面図である。（ｃ）従来例の静脈留置針組立体の留置針ユニットの正面図である。
【符号の説明】
【００１５】
２  外筒体
３  留置針
４  フランジ
５  留置針ユニット
７  穿刺針
８  蓋体
２１  静脈留置針組立体
２２  筒状体
２３  穿刺針ユニット
２４  板バネ
２４ａ  凸状部
４１  血管
【図１】
2009183441.tif 000003
【図２】
2009183441.tif 000004
【図３】
2009183441.tif 000005